(57)【要約】【課題】メモリカードコネクタのプッシュ式挿抜機構において、ロックの安定性の向上を図る。【解決手段】メモリカードをロックするスライダ１６の溝カム２０に係合するロックピン２１を板バネ２２にて押さえる。板バネの先端の下半部は上半部よりも前方へ突出していて、且つ板バネの先端がロックピンの側面のやや下側に接するように斜めに折り曲げてある。これにより、ロックピン２１には上昇方向の圧力がかかり、ロック位置においてショックが加わったとしてもロック解除位置へ下降することがなく、メモリカードのロックが解除される虞が解消される。【選択図】　図６
2004095194.tif 000002
【特許請求の範囲】
【請求項１】
メモリカードコネクタ内に配置したスライダにハート形の溝カムを設け、メモリカードコネクタに設けたロックピンを溝カムに係合させることにより、メモリカード挿入時にスライダが後退してロックされ、再度メモリカードを押すことによりロックが解除されてメモリカードが取り出されるように構成したメモリカードコネクタの挿抜機構において、
板バネによりロックピンを溝カムのロック解除位置からロック位置へ向かう方向へ付勢し、衝撃などによりロックピンがロック位置からロック解除位置へ移動することを防止したことを特徴とするメモリカードコネクタの挿抜機構。
【請求項２】
上記板バネを折曲げて板バネとロックピンの接触位置を制御することにより、ロックピンを溝カムのロック解除位置からロック位置へ向かう方向へ付勢した請求項１記載のメモリカードコネクタの挿抜機構。
【請求項３】
上記板バネの先端を斜めに切欠いてロックピンへ接触させることにより、ロックピンのロック位置からロック解除位置への移動に対する抵抗力を発生させるようにした請求項１記載のメモリカードコネクタの挿抜機構。
【発明の詳細な説明】
【０００１】
【発明の属する技術分野】
この発明は、メモリカードコネクタの挿抜機構に関するものであり、特に、メモリカードロックの安定性を向上させたメモリカードコネクタの挿抜機構に関するものである。
【０００２】
【従来の技術】
メモリカードの小型化に伴って、これらの小型メモリカードをリムーバブルメディアとして装着できるようにした携帯電話やＰＨＳ等が提供されている。この種の小型機器にメモリカードを用いる場合は、スペースの制限からメモリカードコネクタを可及的に小型化する必要があり、より大型のＰＣカードコネクタ等に備えられているイジェクトボタンを設けず、メモリカードコネクタに装着したメモリカードを押すことにより、装着が解除されて排出されるダイレクトプッシュ式挿抜機構が設けられている。この挿抜機構は、プッシュロック式スイッチなどに広く用いられている溝カムとロックピンによる公知の機構である。
【０００３】
図８及び図９はメモリカードコネクタのベースフレーム１を示し、２はスライダである。スライダ２の側面には、ハート形のループをなす溝カム３が形成されていて、ベースフレーム１に取付けたロックピン４の先端部が溝カム３に係合しており、ロックピン４の側面へ弾接する板バネ５によりロックピン４は溝カム３から外れないように押さえられている。図８及び図９はスライダ２が後退したロック状態を示しているが、スライダ２はベースフレーム１のバネ室６に挿入した圧縮コイルバネ（図示せず）によってカード挿入口の方向（図において右）へ付勢されており、ロックを解除されればカード挿入口側へ前進して初期位置へ戻る。
【０００４】
図１０は、メモリカードコネクタのダイレクトプッシュ式挿抜機構の概要を示し、図においてロックピン４に対してスライダ２が左へ後退及び右へ前進移動する。ａはロックピン４の初期位置を示し、メモリカードコネクタへメモリカードを挿入すると、メモリカードがスライダ２を押して左へ後退させることにより、ロックピン４の先端部は溝カム３の上側の溝に沿って溝カム３の上側前端位置ｂへ移動する。このときメモリカードはメモリカードコネクタの最奥まで達して前端の接点がベースフレーム１内のコンタクトピンに接触する。そして、メモリカードの挿入操作を解除すると圧縮バネのバネ力によりスライダ２が右へ前進するが、図８、図９に示すようにロックピン４の先端部は、溝カム３の前端上下中間部の凹形ストッパー部（図１０のｃ位置）へ案内されてスライダ２は前進を停止し、メモリカードは接続状態でロックされる。
【０００５】
メモリカードを取外すときは、メモリカードの後部を押してメモリカードをメモリカードコネクタの最奥まで押し込めば、ロックピン４の先端部が溝カム３の凹形ストッパー部のｃ位置から下側前端のロック解除位置ｄへ移動し、ロックを解除されたスライダ２が圧縮バネのバネ力により前進してメモリカードを外へ押し出し、ロックピン４は初期位置ａへ戻る。
【０００６】
【発明が解決しようとする課題】
上述した従来のメモリカードコネクタにおいて、ロック状態（図１０のｃ位置）で外部から強い衝撃が加わると、衝撃の方向によってはロックピンの先端部が溝カムの凹形ストッパー部から外れて下側のロック解除位置（図１０のｄ位置）へ移動してしまい、スライダによりメモリカードが外へ押し出されてデータの読み書きエラーが生じたりメモリカードが脱落したりする虞がある。そこで、衝撃等によりメモリカードのロックが解除される虞を解消するために解決すべき技術的課題が生じてくるのであり、本発明は上記課題を解決することを目的とする。
【０００７】
【課題を解決するための手段】
この発明は、上記目的を達成するために提案するものであり、メモリカードコネクタ内に配置したスライダにハート形の溝カムを形成し、メモリカードコネクタに設けたロックピンを溝カムに係合させることにより、メモリカード挿入時にスライダが後退してロックされ、再度メモリカードを押すことによりロックが解除されてメモリカードが取り出されるように構成したメモリカードコネクタの挿抜機構において、板バネによりロックピンを溝カムのロック解除位置からロック位置へ向かう方向へ付勢し、衝撃などによりロックピンがロック位置からロック解除位置へ移動することを防止したことを特徴とするメモリカードコネクタの挿抜機構を提供するものである。
【０００８】
また、上記板バネを折曲げて板バネとロックピンの接触位置を制御することにより、ロックピンを溝カムのロック解除位置からロック位置へ向かう方向へ付勢したメモリカードコネクタの挿抜機構を提供するものである。
【０００９】
また、上記板バネの先端を斜めに切欠いてロックピンへ接触させることにより、ロックピンのロック位置からロック解除位置への移動に対する抵抗力を発生させるようにしたメモリカードコネクタの挿抜機構を提供するものである。
【００１０】
【発明の実施の形態】
以下、この発明の実施の一形態を図に従って詳述する。図１はメモリカードコネクタ１１へメモリカード３１を装着した状態を示し、メモリカードコネクタ１１は樹脂製のベースフレーム１２と金属製のトップカバー１３とによって筐体を構成している。図２はトップカバー１３、図３はベースフレーム１２を示し、ベースフレーム１２の後部（図において左）には、メモリカード３１の端子配列に合わせて１０個のコンタクトピン１４が横並びに配置されている。ベースフレーム１２の左辺（図において下）近傍にはスライダガイド１５が形成されていて、スライダガイド１５とトップカバー１３の左側壁とによってスライダ１６を挟んでガイドする。図３はスライダ１６が後退位置でロックされた状態を示しているが、ロックを解除されると圧縮コイルバネ１７のバネ力により前進して初期位置へ戻る。
【００１１】
スライダ１６には板バネであるキャッチスプリング１８が取付けられていて、キャッチスプリング１８の先端部はコンタクトピン１４と同様に山形に折り曲げられて内側方向へ突出しており、図４に示すメモリカード３１をメモリカードコネクタ１１へ挿入したときに、初期位置にあるスライダ１６のキャッチスプリング１８の山形先端部がメモリカード３１の左側面に形成されている凹部３２に入って係合する。メモリカード３１の前端左角は斜めに切り欠いた形状の斜面部３３としてあり、図３に示すようにスライダ１６にはメモリカード３１の斜面部３３と当接対偶をなす三角プレート部１９が形成されており、キャッチスプリング１８がメモリカード３１の凹部３２に係合したときにメモリカード３１の斜面部３３がスライダ１６の三角プレート部１９に接する。そして、さらにメモリカード３１を奥へ挿入すると、スライダ１６はメモリカード３１に押されて図３に示す位置まで後退し、メモリカード３１は後述する挿抜機構によりロックされる。
【００１２】
図５及び図６はメモリカードコネクタ１１の挿抜機構を示し、従来と同様にスライダ１６の側面に形成したループ形の溝カム２０にロックピン２１を係合させていて、ロック・ロック解除の作用も同一であるが、ロックピン２１を押さえる板バネ２２の形状が従来のものとは相違しており、板バネ２２の折曲げ線を垂直ではなく傾斜させて板バネ２２の先端がロックピン２１の側面のやや下側に接するようにしている。これにより、ロックピン２１には上昇方向の圧力ＦＡがかかり、図１０に示すロック位置ｃにおいてショックが加わったとしても、ロックピン２１は図１０のロック解除位置ｄへ下降することがなく、メモリカードのロックが解除される虞はなくなる。
【００１３】
また、図５及び図６のように板バネ２２の先端に段差を設け、上半部よりも下半部を前方へ突出させ、上半部と下半部を斜面で接続した形状としたり、図７のように板バネ２３の先端を斜めにカットして上端よりも下端が前方へ突出する形状としたりすることにより、ロックピン２１のロック位置からロック解除位置への移動に対する抵抗力が発生し、ロックピン２１の下降制止効果がさらに向上する。尚、板バネ２２，　２３のバネ圧は、通常のロック解除操作時にロックピン２１のロック解除位置ｄへの下降を妨害しない程度であることはいうまでもない。
【００１４】
以上、本発明のメモリカードコネクタの挿抜機構を説明したが、この発明は上記の実施形態に限定するものではなく、この発明の技術的範囲内において種々の改変が可能であり、この発明がそれらの改変されたものに及ぶことは当然である。
【００１５】
【発明の効果】
以上説明したように、本発明のメモリカードコネクタの挿抜機構は、スライダのハート形溝カムに沿って動くロックピンを板バネによりロック解除位置からロック位置へ向けて付勢したので、衝撃などによりロックピンがロック位置からロック解除位置へ移動することを防止でき、ロックの安定性が向上する。また、板バネを折曲げて板バネとロックピンの接触位置を制御したり、板バネの先端を斜めに切欠いてロックピンへ接触させたりすることにより、板バネの取付け位置を従来と変更することなくロックの安定性を向上させることができる。
【図面の簡単な説明】
【図１】メモリカードコネクタとメモリカードの斜視図。
【図２】メモリカードコネクタのトップカバーの斜視図。
【図３】メモリカードコネクタのベースフレームの斜視図。
【図４】メモリカードの斜視図。
【図５】メモリカードコネクタのベースフレームの斜視図。
【図６】図５のＡ部詳細図。
【図７】挿抜機構の他の実施形態を示す詳細図。
【図８】従来例を示し、メモリカードコネクタのベースフレームの斜視図。
【図９】図８のＡ部詳細図。
【図１０】挿抜機構の作動解説図。
【符号の説明】
１１　　　　　メモリカードコネクタ
１２　　　　　ベースフレーム
１３　　　　　トップカバー
１４　　　　　コンタクトピン
１５　　　　　スライドガイド
１６　　　　　スライダ
１７　　　　　圧縮コイルバネ
１８　　　　　キャッチスプリング
１９　　　　　三角プレート部
２０　　　　　溝カム
２１　　　　　ロックピン
２２　　　　　板バネ
２３　　　　　板バネ
３１　　　　　メモリカード
３２　　　　　凹部
３３　　　　　斜面部
【図１】
2004095194.tif 000003
【図２】
2004095194.tif 000004
【図３】
2004095194.tif 000005
【図４】
2004095194.tif 000006
【図５】
2004095194.tif 000007
【図６】
2004095194.tif 000008
【図７】
2004095194.tif 000009
【図８】
2004095194.tif 000010
【図９】
2004095194.tif 000011
【図１０】
2004095194.tif 000012